(57)【要約】【課題】スライド移動方向の寸法を小さくすることが可能であり、安価で、長期の使用に適したスライドスイッチを提供する。【解決手段】本発明のスライドスイッチにおいて、絶縁基体１に取り付けられたカバー３と、スライド移動可能に設けられたスライド部材４に保持され、固定接点２ａ、２ｂに接離可能な可動接点５と、スライド部材４と共にスライド移動すると共に、スライド移動方向に沿った面側に付勢された可動体７とを備え、絶縁基体１、或いはカバー３には、スライド部材４の移動終端の近傍において、可動体７が当接可能な一対の抑止部３ｅが設けられ、可動体７の抑止部３ｅへの当接によって、スライド部材４の移動速度を抑止するようにしたため、スライド部材４のスライド移動方向に付勢された部材を必要としなくなり、スライド移動方向における小型化を可能とすると共に、衝突音の小さなものが提供できる。【選択図】        図６
2004164936.tif 000002
【特許請求の範囲】
【請求項１】
固定接点を取り付けた絶縁基体と、この絶縁基体に取り付けられたカバーと、このカバーにスライド移動可能に設けられたスライド部材と、このスライド部材に保持され、前記固定接点に接離可能な可動接点と、前記スライド部材に設けられて、前記スライド部材と共にスライド移動すると共に、前記スライド移動方向に沿った面側に付勢された可動体とを備え、前記スライド部材は、移動終端において、前記絶縁基体、或いは前記カバーに当接してスライド移動が停止すると共に、前記絶縁基体、或いは前記カバーには、前記スライド部材の移動終端の近傍において、前記可動体が当接可能な一対の抑止部が設けられ、前記可動体の前記抑止部への当接によって、前記スライド部材の移動速度を抑止するようにしたことを特徴とするスライドスイッチ。
【請求項２】
前記一対の抑止部の間には、前記絶縁基体、或いは前記カバーにカム部が設けられ、前記可動体が前記カム部に係脱して、前記スライド部材にクリック感を持たせたことを特徴とする請求項１記載のスライドスイッチ。
【請求項３】
前記カバーは、孔を有する上面壁と、この上面壁から下方に折り曲げられた側壁とを有し、前記スライド部材は、前記カバー内に収納された保持部と、この保持部と一体的に設けられ、前記孔から外方に突出する操作部とを有し、前記保持部に前記可動体が備えられると共に、前記可動体が前記上面壁、或いは前記側壁に設けられた前記一対の抑止部に当接可能としたことを特徴とする請求項１、又は２記載のスライドスイッチ。
【請求項４】
前記スライド部材の前記保持部には凹部が設けられており、この凹部には、前記可動体と、前記可動体を付勢するための付勢部材とが保持されると共に、前記抑止部は、前記カバー内に突出した一対の膨出部で構成されたことを特徴とする請求項３記載のスライドスイッチ。
【請求項５】
前記膨出部は、前記スライド部材の移動終端近傍において、前記可動体が乗り上げ可能な傾斜面を有すると共に、前記膨出部の前記傾斜面に前記可動体が当接するようにしたことを特徴とする請求項４記載のスライドスイッチ。
【請求項６】
前記カバーが金属板で構成されたことを特徴とする請求項３から５の何れかに記載のスライドスイッチ。
【請求項７】
前記可動体が球体で構成されたことを特徴とする請求項１から６の何れかに記載のスライドスイッチ。
【発明の詳細な説明】
【０００１】
【発明の属する技術分野】
本発明は種々の電子機器に使用して好適なスライドスイッチに関する。
【０００２】
【従来の技術】
従来のスライドスイッチにおいて、スライド部材の衝撃音を小さくするための構成として、図８，図９のものが知られている。
【０００３】
図８に示す前者のものは、スライド部材５１が節度機構（図示せず）によってクリック感を持って移動すると共に、スライド部材５１の移動は、スライド部材５１がカバー５２の孔５２ａの端部５２ｂに当接して停止するようになっている。
【０００４】
そして、スライド部材５１が端部５２ｂに速い速度でぶつかると、衝撃音が大きくなり、この衝撃音を小さくするために、カバー５２内には、一対のバネ部材５３が配置され、スライド部材５１の移動終端の近傍において、スライド部材５１がバネ部材５３に当接して、スライド部材５１の移動速度を抑えて、衝撃音を小さくしている。
【０００５】
しかし、このような構成を有する前者のものは、別部品のバネ部材５３が必要で、部品点数が多くなって、生産性が悪くなると共に、コスト高になるものであった。（例えば、特許文献１参照）
【０００６】
また、図９に示す後者のものは、合成樹脂の成型品からなるスライド部材５１が節度機構（図示せず）によってクリック感を持って移動すると共に、スライド部材５１の移動は、スライド部材５１がカバー５２の孔５２ａの端部５２ｂに当接して停止するようになっている。
【０００７】
そして、スライド部材５１が端部５２ｂに速い速度でぶつかると、衝撃音が大きくなり、この衝撃音を小さくするために、スライド部材５１には、一対のバネ部５１ａが一体に設けられ、スライド部材５１の移動終端の近傍において、このバネ部５１ａがカバー５２に当接して、スライド部材５１の移動速度を抑えて、衝撃音を小さくしている。
【０００８】
しかし、このような構成を有する後者のものは、スライド部材５１が合成樹脂の成型品で形成されるため、バネ部５１ａを設けた構成だと、成型金型が複雑となって、コスト高になると共に、バネ部５１ａが長期にわたってバネ性を維持することが困難で、長期の使用に不適である。（例えば、特許文献１参照）
【０００９】
【特許文献１】
特開２００２−４２６０８号公報（図１、図２）
【００１０】
【発明が解決しようとする課題】
従来のスライドスイッチの前者のもは、別部品としてバネ部材５３を必要とし、部品点数が多くなって、コスト高になり、また、後者のものは、成型品で形成されるスライド部材５１が複雑な構成となって、コスト高なると共に、バネ部５１ａが長期にわたってバネ性を維持することが困難で、長期の使用に不適であるという問題がある。
また、何れのスライドスイッチにおいても、バネ部材５３，バネ部材５３をスライド部材５１の移動方向に配置して、同方向に付勢しているので、スライドスイッチの移動方向における寸法の小型化が困難であった。
【００１１】
そこで、本発明はスライド移動方向の寸法を小さくすることが可能であり、安価で、長期の使用に適したスライドスイッチを提供することを目的とする。
【００１２】
【課題を解決するための手段】
上記課題を解決するための第１の解決手段として、固定接点を取り付けた絶縁基体と、この絶縁基体に取り付けられたカバーと、このカバーにスライド移動可能に設けられたスライド部材と、このスライド部材に保持され、前記固定接点に接離可能な可動接点と、前記スライド部材に設けられて、前記スライド部材と共にスライド移動すると共に、前記スライド移動方向に沿った面側に付勢された可動体とを備え、前記スライド部材は、移動終端において、前記絶縁基体、或いは前記カバーに当接してスライド移動が停止すると共に、前記絶縁基体、或いは前記カバーには、前記スライド部材の移動終端の近傍において、前記可動体が当接可能な一対の抑止部が設けられ、前記可動体の前記抑止部への当接によって、前記スライド部材の移動速度を抑止するようにした構成とした。
【００１３】
また、第２の解決手段として、前記一対の抑止部の間には、前記絶縁基体、或いは前記カバーにカム部が設けられ、前記可動体が前記カム部に係脱して、前記スライド部材にクリック感を持たせた構成とした。
【００１４】
また、第３の解決手段として、前記カバーは、孔を有する上面壁と、この上面壁から下方に折り曲げられた側壁とを有し、前記スライド部材は、前記カバー内に収納された保持部と、この保持部と一体的に設けられ、前記孔から外方に突出する操作部とを有し、前記保持部に前記可動体が備えられると共に、前記可動体が前記上面壁、或いは前記側壁に設けられた前記一対の抑止部に当接可能とした構成とした。
【００１５】
また、第４の解決手段として、前記スライド部材の前記保持部には凹部が設けられており、この凹部には、前記可動体と、前記可動体を付勢するための付勢部材とが保持されると共に、前記抑止部は、前記カバー内に突出した一対の膨出部で構成された。
【００１６】
また、第５の解決手段として、前記膨出部は、前記スライド部材の移動終端近傍において、前記可動体が乗り上げ可能な傾斜面を有すると共に、前記膨出部の前記傾斜面に前記可動体が当接するようにした構成とした。
【００１７】
また、第６の解決手段として、前記カバーが金属板で構成された。
また、第７の解決手段として、前記可動体が球体で構成された。
【００１８】
【発明の実施の形態】
本発明のスライドスイッチの図面を説明すると、図１は本発明のスライドスイッチの平面図、図２は本発明のスライドスイッチの正面図、図３は本発明のスライドスイッチの要部の断面図、図４は本発明のスライドスイッチに係り、接点の切換を説明するための断面図、図５は本発明のスライドスイッチに係り、カバーの一部を切り欠いた平面図、図６は本発明のスライドスイッチに係り、動作を示す説明図、図７は本発明のスライドスイッチに係り、カバーの下面図である。
【００１９】
次に、本発明のスライドスイッチの構成を図１〜図７に基づいて説明すると、絶縁基体１は、積層基板や、合成樹脂の成型品で構成され、複数個の固定接点２ａ、２ｂが取り付けられている。
【００２０】
金属板、或いは合成樹脂の成型品からなる箱形のカバー３は、上面壁３ａと、この上面壁３ａに設けられた細長の孔３ｂと、上面壁３ａの四方から下方に折り曲げられた側壁３ｃと、長手方向（スライド移動方向）における一方の側壁３ｃに設けられ、クリック感を持たせるためのカバー３内に突出した複数（２つ）の山部からなるカム部３ｄと、このカム部３ｄの両側に配設され、カバー３内に突出した膨出部からなる抑止部３ｅと、下方に突出する複数個の脚部３ｆとを有する。
【００２１】
この抑止部３ｅは、断面が台形状をなすと共に、カム部３ｄ側には、傾斜面３ｇが設けられた構成となっている。
また、抑止部３ｅは、断面が半円形状等をなした膨出部で構成しても良い。
【００２２】
そして、絶縁基体１がカバー３の下方開放部に配置され、カバー３は、脚部３ｆによって、絶縁基体１に取り付けられている。
【００２３】
合成樹脂の成型品からなるスライド部材４は、凹部４ａを有する保持部４ｂと、この保持部４ｂと一体に設けられた操作部４ｃと、保持部４ｂの下部に設けられた凹部からなる収納部４ｄとを有する。
【００２４】
このスライド部材４は、保持部４ｂがカバー３内に収納された状態で、操作部４ｃが孔３ｂから外方に突出し、孔３ｂに沿ってスライド移動可能に取り付けられている。
【００２５】
そして、スライド部材４がカバー３内に取り付けられた際、凹部４ａは、カム部３ｄと抑止部３ｅに対向可能となると共に、スライド部材４の移動は、孔３ｂの端部３ｈにぶつかって停止するようになっている。
なお、このスライド部材４の移動は、カバー３の対向する側壁にぶつかって停止するようにしても良く、要は、スライド移動する部材（スライド部材４）と移動しない部材（カバー３）とが当接可能となって、ストッパー手段が構成されていれば良い。
【００２６】
クリップ状の可動接点５は、スライド部材４の収納部４ｄに取り付けられ、スライド部材４と共に移動可能となっている。
そして、この可動接点５は、特に図４に示すように、固定接点２ａと、共通の固定接点２ｂとに接触し、可動接点５がスライド部材４と共に移動した時、共通の固定接点２ｂには常時接触した状態で、複数個の固定接点２ａのそれぞれに接離して、接点の切換が行われるようになっている。
【００２７】
コイルバネ等からなる付勢部材６は、スライド部材４の凹部４ａ内に収納されて保持されている。
金属製の球体、或いは先端部に丸味を持たせた柱状体等からなる先端曲面状の突状をなした可動体７は、スライド部材４の凹部４ａ内に収納されて保持されると共に、この可動体７は、付勢部材６によって、スライド部材４のスライド移動方向に沿った面側である側壁３ｃ側に弾圧されて、カム部３ｄと抑止部３ｅに係合可能となっている。
【００２８】
即ち、可動体７とカム部３ｄとで節度機構が構成され、可動体７がスライド部材４と共に移動した時、可動体７は、カム部３ｄの山部と谷部とに係脱を行って、スライド部材４の移動にクリック感を持たせるようになっている。
【００２９】
また、図５は、可動体７が節度機構の中央部に位置した状態を示しているが、この状態で、スライド部材４を矢印Ａ１方向、或いは矢印Ａ２方向に移動した際、可動体７は、カム部３ｄの山部を乗り越えて、勢い良く（速い速度で）、谷部側に移動するが、この時、可動体７は、抑止部３ｅの傾斜面３ｇにぶつかって、スライド部材４に対して、移動速度を抑止するように作用する。
【００３０】
そして、可動体７が抑止部３ｅにぶつかった際、衝突音が発生するが、可動体７は付勢部材６を圧縮しながら傾斜面３ｇに若干乗り上げて完全には停止しないことから、可動体７と抑止部３ｅとの衝突音を小さなものとすることができる。
【００３１】
また、スライド部材４の移動速度が減退し、この減退した状態で、スライド部材４の更なる移動時に伴って、孔３ｂの端部３ｈにスライド部材４がぶつかった場合でも、その当接音（衝突音）が小さくなる。
【００３２】
即ち、スライド部材４の移動終端の近傍において、可動体７を抑止部３ｅに当接させることによって、スライド部材４の移動速度を抑止して、移動終端近傍を含む移動終端における可動体７と抑止部３ｅとの間、及びスライド部材４とカバー３との間の衝突音を小さくしたものである。
【００３３】
なお、上記実施例では、カム部３ｄと抑止部３ｅがカバー３の側壁３ｃに設けられたもので説明したが、カム部３ｄと抑止部３ｅがカバー３の上面壁３ｂ、或いは絶縁基体１に設けられたものでも良い。
【００３４】
また、スライド部材４は、カバー３との間で移動が停止するもので説明したが、絶縁基体１との間で移動を停止するようにしても良く、更には、抑止部３ｅの突出量を大きくして、抑止部３ｅに可動体７を当接させることにより、必要以上のスライド部材４の動きを規制しても良い。
また、カバー３は、箱形のもので説明したが、絶縁基体１が成型品で作られて箱形をなし、この箱形の絶縁基体１の側壁に、カム部と抑止部を設けても良い。
【００３５】
また、一対の抑止部３ｅの間に、カム部３ｄを設けたもので説明したが、このカム部３ｄを無くしたもの良い。
また、スライド部材４の操作部４ｂは、上面壁３ａから突出するようにしたが、側壁３ｃから突出させても良い。
【００３６】
また、可動体７は、コイルバネからなる付勢部材６により、スライド部材４のスライド移動方向に沿った面側に付勢されているもので説明したが、突出部（可動体に相当）を有する板バネをスライド部材４に保持させた状態、即ち、可動体７と付勢部材６とを一部材で構成した形態であっても良い。
【００３７】
【発明の効果】
本発明のスライドスイッチは、固定接点を取り付けた絶縁基体と、この絶縁基体に取り付けられたカバーと、このカバーにスライド移動可能に設けられたスライド部材と、このスライド部材に保持され、固定接点に接離可能な可動接点と、スライド部材に設けられて、スライド部材と共にスライド移動すると共に、スライド移動方向に沿った面側に付勢された可動体とを備え、絶縁基体、或いはカバーには、スライド部材の移動終端の近傍において、可動体が当接可能な一対の抑止部が設けられ、可動体の抑止部への当接によって、スライド部材の移動速度を抑止するようにした構成とした。
このような構成によって、スライド部材のスライド移動方向に付勢された部材を必要としなくなり、スライド移動方向における小型化を可能とすると共に、衝突音の小さなものが提供できる。
【００３８】
また、一対の抑止部の間には、絶縁基体、或いはカバーにカム部が設けられ、可動体がカム部に係脱して、スライド部材にクリック感を持たせたため、特に、節度機構を備えたものにおいて、その節度機構を衝突音の小音化のための機構に流用することができるため、部品点数が増えず、安価なスライドスイッチを提供できる。
【００３９】
また、カバーは、孔を有する上面壁と、この上面壁から下方に折り曲げられた側壁とを有し、スライド部材は、カバー内に収納された保持部と、この保持部と一体的に設けられ、孔から外方に突出する操作部とを有し、保持部に可動体が備えられると共に、可動体が上面壁、或いは側壁に設けられた一対の抑止部に当接可能としたため、抑止部とカム部が並設して設けることができて、生産性の良好なものが得られる。
【００４０】
また、スライド部材の保持部には凹部が設けられており、この凹部には、可動体と、可動体を付勢するための付勢部材とが保持されると共に、抑止部は、カバー内に突出した一対の膨出部で構成されたため、その構成が簡単で、生産性の良好なものが得られる。
【００４１】
また、膨出部は、スライド部材の移動終端近傍において、可動体が乗り上げ可能な傾斜面を有すると共に、膨出部の傾斜面において、可動体が当接するようにしたため、可動体の移動時の抑止力が良好となり、衝突音の一層小さいものが得られる。
【００４２】
また、カバーが金属板で構成されたため、安価で、抑止部やカム部の加工性の良好で、長期にわたって衝突音を低減できるものが得られる。
【００４３】
また、可動体が球体で構成されたため、クリック感が良く、安価で、組立性の良好なものが得られる。
【図面の簡単な説明】
【図１】本発明のスライドスイッチの平面図。
【図２】本発明のスライドスイッチの正面図。
【図３】本発明のスライドスイッチの要部の断面図。
【図４】本発明のスライドスイッチに係り、接点の切換を説明するための断面図。
【図５】本発明のスライドスイッチに係り、カバーの一部を切り欠いた平面図。
【図６】本発明のスライドスイッチに係り、動作を示す説明図。
【図７】本発明のスライドスイッチに係り、カバーの下面図。
【図８】従来のスライドスイッチの要部の断面図。
【図９】従来のスライドスイッチの要部の断面図。
【符号の説明】
１  絶縁基体
２ａ  固定接点
２ｂ  固定接点（共通の固定接点）
３  カバー
３ａ  上面壁
３ｂ  孔
３ｃ  側壁
３ｄ  カム部
３ｅ  抑止部
３ｆ  脚部
３ｇ  傾斜面
３ｈ  端部
４  スライド部材
４ａ  凹部
４ｂ  保持部
４ｃ  操作部
４ｄ  収納部
５  可動接点
６  付勢部材
７  可動体
【図１】
2004164936.tif 000003
【図２】
2004164936.tif 000004
【図３】
2004164936.tif 000005
【図４】
2004164936.tif 000006
【図５】
2004164936.tif 000007
【図６】
2004164936.tif 000008
【図７】
2004164936.tif 000009
【図８】
2004164936.tif 000010
【図９】
2004164936.tif 000011